(57)【要約】【課題】使い勝手のよい電話装置、主装置および携帯端末装置を提供する。【解決手段】留守番電話に設定されている子機５０Ａ宛の音声メッセージや電子メールが記憶部１６に記憶されていると、主装置１０の制御部１６は、子機４０Ａと対応付けられた携帯端末４Ａに子機５０Ａ宛のメッセージについての電子メールを送信する。この電子メールには、音声メッセージの発信者の電話番号に関する情報が含まれる。この電子メールに基づいて、携帯端末４Ａは、子機５０Ａ宛の音声メッセージの発信者に電話をかける。【選択図】  図１
2006157714.tif 000002
【特許請求の範囲】
【請求項１】
発信電話機に対応するＩＤを受信し、前記発信電話機からのメッセージと共に記憶する記憶手段と、
前記発信電話機のＩＤを含む電子メールを作成する作成手段と、
前記電子メールを予め指定されたアドレスに送信する送信手段と
を備えたことを特徴とする電話装置。
【請求項２】
子機を収容するボタン電話装置の主装置であって、
発信電話機に対応するＩＤを受信し、前記発信電話機からの前記子機宛のメッセージと共に記憶する記憶手段と、
前記発信電話機のＩＤを含む電子メールを作成する作成手段と、
前記電子メールを予め指定されたアドレスに送信する送信手段と
を備えたことを特徴とする主装置。
【請求項３】
前記アドレスは、前記子機に対応付けられた電子メールを受信可能な携帯端末装置のアドレスである
ことを特徴とする請求項２記載の主装置。
【請求項４】
前記作成手段は、所定の期間内に前記記憶手段に記憶された前記発信電話機のＩＤを含む電子メールを作成する
ことを特徴とする請求項２または３記載の主装置。
【請求項５】
主装置とこの主装置に収容された子機とから構成されるボタン電話装置の前記子機に対応付けられた携帯端末装置であって、
前記主装置から本文に電話番号が含まれた電子メールを受信する受信手段と、
前記ＩＤによって特定される電話機に発信する発信手段と
を備えたことを特徴とする携帯端末装置。
【請求項６】
前記電子メールの本文に含まれた複数の電話番号の中から一の電話番号を選択させる手段をさらに備え、
前記発信手段は、前記一の電話番号に発信する
ことを特徴とする請求項５記載の携帯端末装置。
【発明の詳細な説明】
【技術分野】
【０００１】
本発明は、留守番電話機能を有するボタン電話装置に関し、特に、電子メールの送信機能を有するボタン電話装置に関するものである。
【背景技術】
【０００２】
従来より、着信を受けた電話装置にメッセージが録音されると、そのメッセージを録音した発信者を着側電話装置のユーザに通知する機能を有する留守番電話装置がある。例えば、特許文献１には、留守番電話装置においてメッセージが録音されると、予め登録されたポケットベルにそのメッセージを録音した発信者の電話番号を送信する技術が開示されている。このような従来の技術によれば、ユーザは、留守中に電話があったことを知るとともに、ポケットベルに表示された電話番号に電話をかけることにより、メッセージを録音した発信者と連絡をとることができる。また、ユーザは、留守番電話装置に電話をかけて所定の再生動作を行うことにより、留守番電話装置に録音されたメッセージを順次再生することができる。
【０００３】
なお、出願人は、本明細書に記載した先行技術文献情報で特定される先行技術文献以外には、本発明に関連する先行技術文献を出願時までに発見するには至らなかった。
【特許文献１】特開２０００−４９９３０号公報
【発明の開示】
【発明が解決しようとする課題】
【０００４】
しかしながら、従来の留守番電話装置では、ポケットベルにメッセージを録音した発信者の電話番号が通知されることとなっており、着側電話装置のユーザがその発信者に対して発信する際には、通知された電話番号に改めてダイヤル操作を行う必要がある。このため、通知を受けるたびに、その都度ダイヤル操作を行って発信するのは煩わしかった。
そこで、本発明は、上述したような課題を解決するためになされたものであり、使い勝手のよい電話装置、ボタン電話装置の主装置および主装置に収容された子機に対応付けられた携帯端末装置を提供することを目的とする。
【課題を解決するための手段】
【０００５】
上述したような課題を解決するために、本発明に係る電話装置は、発信電話機に対応するＩＤを受信し、発信電話機からのメッセージと共に記憶する記憶手段と、発信電話機のＩＤを含む電子メールを作成する作成手段と、電子メールを予め指定されたアドレスに送信する送信手段とを備えたことを特徴とする。ＩＤとしては、電話番号、契約者名、発信者名、ＩＰアドレス等が含まれる。
【０００６】
また、本発明に係る主装置は、子機を収容するボタン電話装置の主装置であって、発信電話機に対応するＩＤを受信し、発信電話機からの子機宛のメッセージと共に記憶する記憶手段と、発信電話機のＩＤを含む電子メールを作成する作成手段と、電子メールを予め指定されたアドレスに送信する送信手段とを備えたことを特徴とする。
【０００７】
上記主装置において、アドレスは、子機に対応付けられた電子メールを受信可能な携帯端末装置のアドレスとしてもよい。
【０００８】
上記主装置において、作成手段は、所定の期間内に記憶手段に記憶された発信電話機のＩＤを含む電子メールを作成するようにしてもよい。
【０００９】
また、本発明に係る携帯端末装置は、主装置とこの主装置に収容された子機とから構成されるボタン電話装置の子機に対応付けられた携帯端末装置であって、主装置から本文に電話番号が含まれた電子メールを受信する受信手段と、ＩＤによって特定される電話機に発信する発信手段とを備えたことを特徴とする。
【００１０】
上記携帯端末装置において、電子メールの本文に含まれた複数の電話番号の中から一の電話番号を選択させる手段をさらに備え、発信手段は、一の電話番号に発信するようにしてもよい。
【発明の効果】
【００１１】
本発明によれば、電話装置または主装置は、メッセージを受け付けた発信者の電話番号を含む電子メールを予め指定されたアドレスに送信する。携帯端末装置は、主装置からから、電話番号が含まれた電子メールを受信する。この電子メールに基づいて発信操作を行うことにより、携帯端末装置のユーザは、ダイヤル操作等を行うことなく発信電話機に発信することが可能となるので、使い勝手がよくなる。
【発明を実施するための最良の形態】
【００１２】
以下、図面を参照して、本発明の実施の形態について詳細に説明する。図１は、本実施の形態に係る情報通信システムの構成を示す図である。なお、本実施の形態では、電話装置としてボタン電話装置を例に説明する。
本実施の形態に係る情報通信システムは、ボタン電話装置１、電話網２、ネットワーク３および携帯端末４Ａ〜４Ｎから構成される。ボタン電話装置１は、子機５０Ａ〜５０Ｎを収容しており、これらの子機５０Ａ〜５０Ｎは、それぞれ携帯端末４Ａ〜４Ｎと対応付けられている。
ここで、電話網２は、アナログ電話網、ＩＳＤＮ（Integrated Service Digital Network）網、ＩＰ（Internet Protocol）網等から構成されているものとし、回線２１を介してボタン電話装置１と、回線２２を介して携帯端末４Ａ〜４Ｎと接続されている。これにより、ボタン電話装置１と携帯端末４Ａ〜４Ｎとの通話が実現される。
また、ネットワーク３は、インターネット、ＬＡＮ（Local Area Network）、ＷＡＮ（Wide Area Network）等から構成されているものとし、ＬＡＮ回線３１を介してボタン電話装置１と、ＬＡＮ回線３２を介して携帯端末４Ａ〜４Ｎと接続されている。これにより、ボタン電話装置１と携帯端末４Ａ〜４Ｎとのデータ通信が実現される。
【００１３】
ボタン電話装置１は、主装置１０と、通信路６０を介して主装置１０に接続された複数の子機５０Ａ〜５０Ｎとから構成される。
主装置１０は、回線２１とのインターフェースである外線Ｉ／Ｆ１１と、子機５０Ａ〜５０Ｎとのインターフェースである内線Ｉ／Ｆ１２と、通話の際の音声の伝送路であるスイッチ１３とを有する。また、主装置１０は、ＬＡＮ回線３１とのインターフェースであるデータ制御部１４とを有する。さらに、主装置１０は、ボタン電話装置１の各種動作を実現するプログラムや各種データが記憶された記憶部１５と、上述したボタン電話装置１の各部を制御する制御部１６とが設けられている。
【００１４】
ここで、記憶部１５は、ボタン電話装置１の各種動作を実現するプログラムや各種データとともに、図１に示すように、登録テーブル１５ａと、録音ＤＢ（Ｄａｔａ  Ｂａｓｅ）１６ｂと、メールボックス１５ｃとを記憶している。
【００１５】
登録テーブル１５ａには、子機５０Ａ〜５０Ｎの識別番号と、対応する携帯端末４Ａ〜４Ｎの電子メールアドレスや電話番号が関連づけられて登録されている。
録音ＤＢ１５ｂは、子機５０Ａ〜５０Ｎが留守番電話モードに設定されているときに発信者の音声メッセージを録音する。この音声メッセージは、子機５０Ａ〜５０Ｎ毎に区別して記憶されている。各音声メッセージには、録音した発信者の電話番号が対応付けて記憶されている。なお、録音ＤＢ１５ｂには、子機５０Ａ〜５０Ｎが留守番電話に設定されている旨の応答メッセージも記憶されている。
メールボックス１５ｃは、後述するメール送受信機能部１６ｃにより受信された電子メールを格納する。
【００１６】
制御部１６は、図１に示すように、呼制御機能部１６ａと、留守番機能部１６ｂと、メール送受信機能部１６ｃと、メール作成機能部１６ｄとを有する。
【００１７】
呼制御機能部１６ａは、着信、着信応答操作、回線捕捉操作、保留操作、保留操作後の内線呼出、保留解除操作、確認操作等の各種イベントを検出すると、これらのイベントに応じて、ボタン電話装置１を構成する各構成要素を制御する。
【００１８】
留守番機能部１６ｂは、留守番電話動作を制御する。具体的には、留守番機能部１６ｂは、留守番電話が設定されている子機５０Ａ〜５０Ｎに着信があると、自動応答し、発信者に応答メッセージを送出し、発信者の音声メッセージを記憶部１５に記憶する。ここで、発信者番号通知サービスにより、発信者の電話番号が電話網２側から通知された場合、留守番機能部１６ｂは、その発信者の電話番号を音声メッセージとともに記憶部１５に記憶する。
なお、電話網２側から通知される情報として、電話番号の他に契約者名、発信者名、ＩＰアドレス等を用いるようにしてもよい。これらの情報は、音声メッセージと共に記憶部１５に記憶される。
【００１９】
メール送受信機能部１６ｃは、データ制御部１４およびＬＡＮ回線３１を介してネットワーク３に接続された相手装置との電子メールの送受信動作を制御する。
なお、本実施の形態に係るボタン電話装置１は、子機５０Ａ〜５０Ｎそれぞれに対応付けられたＰＣ（Personal Computer）等の情報処理端末を主装置１０に接続したＣＴＩ(Computer Telephony Integration)機器とするようにしてもよい。この場合、メール送受信機能部１６ｃは、子機５０Ａ〜５０Ｎに対応付けられた情報処理端末による電子メールの送受信動作を制御する。具体的には、子機５０Ａ〜５０Ｎに対応付けられた情報処理端末から電子メールの送信動作を検出すると、メール送受信機能部１６ｃは、ＬＡＮ回線３１を介してネットワーク３１側にその電子メールを送信する。また、ネットワーク３１側から子機５０Ａ〜５０Ｎに対応付けられた情報処理端末のユーザ宛の電子メールを受信すると、メール送受信機能部１６ｃは、その電子メールを記憶部１５のメールボックス１５ｃに格納する。子機５０Ａ〜５０Ｎに対応付けられた情報処理端末のユーザは、情報処理端末により記憶部１５のメールボックス１５ｃにアクセスすることにより、自身宛の電子メールを取得する。
【００２０】
メール作成機能部１６ｄは、音声メッセージが記憶部１５に記憶されている場合、その音声メッセージの宛先となる子機５０Ａ〜５０Ｎに対応付けられている携帯端末４Ａ〜４Ｎに、音声メッセージの存在を通知する電子メールを作成する。
また、メール送受信機能部１６ｃは、子機５０Ａ〜５０Ｎのユーザ宛のメールが記憶部１５に格納されている場合、その電子メールの宛先となる子機５０Ａ〜５０Ｎに対応付けられている携帯端末４Ａ〜４Ｎに、電子メールの存在を通知する電子メールを作成する。  これらのメール送受信機能部１６ｃにより作成された電子メールは、メール送受信機能部１６ｃにより送信される。
【００２１】
上述の要素からなる主装置１０は、ＣＰＵ等の演算装置、メモリ、HDD等の記憶装置、電話網２、ネットワーク３および通信路６０を介して外部電話装置、外部データ端末および子機５０Ａ〜５０Ｎと各種情報の送受を行うＩ/Ｆ装置、キーボード、マウス等の入力装置、CRT(Cathode Ray Tube)、LCD(Liquid Crystal Display)、FED(Field Emission Display)または有機EL(Electro Luminescence)等の表示装置などを備えたコンピュータと、このコンピュータにインストールされたプログラムとからそれぞれ構成されており、上記ハードウェア装置がプログラムによって制御されることによって、すなわちハードウェア資源とソフトウェアが協働することによって、主装置１０の各要素を実現する。
【００２２】
子機５０Ａ〜５０Ｎは、公知のボタン電話機からなり、通信路６０を介して主装置１０の内線Ｉ／Ｆ１２に接続されている。このような子機５０Ａ〜５０Ｎの主表面には、図示しないが、ＬＣＤや蛍光表示管などからなる表示部、利用者による着信応答や外線捕捉等の操作入力を検出する外線ボタン、利用者による通話中の通話チャンネルの保留や保留中の通話チャンネルに応答する保留応答等の操作入力を検出する保留ボタン、利用者によるダイヤル入力を検出するテンキー、利用者が表示部に表示される各種情報に基づいて行う選択および決定に関する操作入力を検出するカーソルキー、呼出音等を鳴動させるスピーカ、マイクおよびスピーカ等が設けられたＨＳ(Hand Set)等が設けられている。
【００２３】
図２は、携帯端末４の構成を示すブロック図である。なお、図１に示す携帯端末４Ａ〜４Ｎは、それぞれ同等の携帯端末から構成されており、図２では図１に示す携帯端末４Ａ〜４Ｎを一括して携帯端末４として説明する。
携帯端末４は、携帯電話やＰＨＳ（Personal Hnady-phone System）等の無線通信機能を有する携帯端末装置から構成され、Ｉ／Ｆ４１、スピーカ４２、表示部４３、操作部４４、記憶部４５および端末制御部４６が設けられている。
【００２４】
Ｉ／Ｆ４１は、電話網２を介してボタン電話装置１や他の電話装置との音声通信およびネットワーク３を介してボタン電話装置１や他のデータ端末とのデータ通信を行う回路部である。
スピーカ４２は、音声や着信音などを出力する回路部である。
表示部４３は、ＬＣＤやＬＥＤ(Light Emitting Diode)を用いて各種情報を表示する回路部である。
操作部４４は、ダイヤルキーや各種機能キーを用いて利用者の操作を検出する回路部である。
記憶部４５は、制御部４６で実行するプログラムやその処理に必要な各種情報を記憶する回路部である。この記憶部４５は、受信した電子メールも蓄積している。また、記憶部４５には、主装置１０の電話番号、電子メールアドレスおよびＩＰアドレスも記憶されていてもよい。
【００２５】
端末制御部４６は、ＣＰＵなどのマイクロプロセッサとその周辺回路を有し、記憶部４６からプログラムを読み込んで実行することにより各種機能手段を実現する機能部である。この機能手段としては、発信機能部４６ａと、メール機能部４６ｂと、選択機能部４６ｃとがある。
発信機能部４６ａは、外線発信動作、着信応答動作等の機能を実現する。
メール機能部４６ｂは、電子メールの送信、受信、作成等の機能を実現する。
選択機能部４６ｃは、電子メールの所定の箇所が選択されたことを操作部４４が検出すると、その選択箇所に対応する動作を発信機能部４６ａまたはメール機能部４６ｂに行わせる。
【００２６】
次に、図３を参照して、ボタン電話装置１の留守番電話機能の動作について説明する。図３は、ボタン電話装置１の留守番電話機能の動作を示すフローチャートである。
ここでは、携帯端末４Ａと対応付けられている子機５０Ａが留守番電話モードに設定されて場合を例に説明する。
【００２７】
主装置１０の制御部１６は、例えばユーザにより子機５０Ａの留守番電話キーが押下される等により、子機５０Ａが留守番電話に設定されたことを検出すると、メール作成機能部１６ｄより、子機５０Ａ宛の音声メッセージまたは電子メールが記憶部１５に記憶されているか否かを所定時間毎に確認する（ステップＳ３０１，３０２）。
【００２８】
主装置１０の制御部１６は、留守番電話に設定されている何れかの子機５０Ａ〜５０Ｎに着信があると、留守番機能部１６ｂにより、発信者に応答メッセージを送出し、発信者の音声メッセージを記憶部１５の録音ＤＢ１５ｂに記憶する。録音ＤＢ１５ｂには、子機５０Ａ〜５０Ｎ毎に区別して音声メッセージが記憶される。音声メッセージは、電話網２側からその音声メッセージを録音した発信者の電話番号が通知された場合、この電話番号が対応付けられた状態で録音ＤＢ１５ｂに記憶される。
【００２９】
また、主装置１０の制御部１６は、何れかの子機５０Ａ〜５０Ｎのユーザ宛の電子メールを受信すると、メール送受信機能部１６ｃにより記憶部１５のメールボックス１５ｃに格納する。メールボックス１５ｃには、子機５０Ａ〜５０Ｎ毎に区別して電子メールが格納される。
【００３０】
なお、メール作成機能部１６ｄが記憶部１５に記憶されている音声メッセージまたは電子メールを確認する所定時間は、適宜自由に設定することができる。
【００３１】
メール作成機能部１６ｄは、上述したような録音ＤＢ１５ｂに子機５０Ａ宛の音声メッセージが記憶されているか否かを、所定時間毎に確認する。子機５０Ａ宛の音声メッセージまたは電子メールが記憶部１５に記憶されていることを確認すると（ステップＳ３０２：ＹＥＳ）、メール作成機能部１６ｄは、子機５０Ａに対応付けられている携帯端末４Ａ宛の電子メールを作成し、この電子メールをメール送受信機能部１６ｃにより携帯端末４Ａに送信する（ステップＳ３０３）。
【００３２】
メール作成機能部１６ｄは、子機５０Ａ宛の未再生の音声メッセージまたは未開封の電子メールが記憶部１５に記憶されていると、音声メッセージが再生もしくは削除、電子メールが開封もしくは削除、所定の時間が経過する、または、留守番電話機能が解除されるまで、所定間隔毎に電子メールを作成する。
この電子メールの宛先は、記憶部１５の登録テーブル１５ａから取得する。電子メールの本文は、記憶部１５の録音ＤＢ１５ｂまたはメールボックス１５ｃから取得した子機５０Ａ宛の音声メッセージの格納先に関する情報、音声メッセージを録音した発信者の電話番号および子機５０Ａのユーザ宛の電子メールの送信者のメールアドレス等を含める。
【００３３】
図４は、メール送受信機能部１６ｃにより作成される電子メールの本文の一例を示す図である。
図４に示すように、電子メールの本文には、子機５０Ａ宛の音声メッセージまたは電子メールの種類を示す見出し、音声メッセージの録音日時または電子メールの受信日時、符号ａで示す音声メッセージを録音した発信者の電話番号、符号ｂで示す音声メッセージの記憶部１５の録音ＤＢ１５ｂにおける格納先に関する情報、符号ｃで示す子機５０Ａのユーザ宛の電子メールの送信者の電子メールアドレスおよび受信した電子メールの件名等が、音声メッセージまたは電子メール単位で記述される。
ここで、メール送受信機能部１６ｃは、記憶部１５に記憶されている未再生の音声メッセージまたは未開封の電子メールに関する情報を電子メールに記述する。したがって、複数の未再生の音声メッセージまたは未開封の電子メールが記憶部１５に記憶されている場合、メール送受信機能部１６ｃは、電子メールの本文に複数の未再生の音声メッセージまたは未開封の電子メールに関する情報を記述する。
【００３４】
子機５０Ａ宛の音声メッセージまたは電子メールが記憶部１５に記憶されていない場合（ステップＳ３０２：ＮＯ）、または、ステップＳ４０３で電子メールを送信後、ユーザにより子機５０Ａの留守番電話キーが再押下される等により、子機５０Ａが留守番電話モードを解除したことを検出すると（ステップＳ３０４：ＹＥＳ）、主装置１０の制御部１６は、留守番電話機能の動作を終了する。
子機５０Ａの留守番電話モードが解除されない場合（ステップＳ３０４：ＮＯ）、主装置１０の制御部１６は、ステップＳ４０１の処理に戻る。
【００３５】
次に、主装置１０から電子メールを受信した場合の携帯端末４Ａの動作について図５を参照して説明する。図５は、主装置１０からの電子メールを受信した場合の携帯端末４Ａの動作を示すフローチャートである。
【００３６】
携帯端末４Ａの端末制御部４６は、Ｉ／Ｆ４１およびネットワーク３を介して、主装置１０から図４に示すような電子メールを受信すると（ステップＳ５０１：ＹＥＳ）、メール機能部４６ｂにより、この電子メールを記憶部４５に格納する。また、メール機能部４６ｂは、スピーカ４２を鳴動させたり、表示部４３にメールの受信を通知するメッセージを表示する等により、携帯端末４Ａのユーザにメールを受信した旨を通知する（ステップＳ５０２）。
【００３７】
例えば、カーソルキーを操作する、メールの閲覧を指示するボタンを押下する等の主装置１０から受信した電子メールを閲覧する旨のユーザによる操作入力を操作部４４が検出すると（ステップＳ５０３：ＹＥＳ）、メール機能部４６ｂは、記憶部４５に格納されているその電子メールを表示部４３に表示させる（ステップＳ５０４）。すると、表示部４３には、図４に示すような電子メールが表示される。
【００３８】
なお、電子メールの閲覧は、記憶部４５に電子メールが格納されているのであれば、ステップＳ５０２によりメールの受信が通知された直後でも、メールの受信が通知されてから任意の時間が経過した後でも、適宜自由な時間に行うことができる。
【００３９】
主装置１０から受信した電子メールを閲覧する旨の操作入力を操作部４４が検出しない場合（ステップＳ５０３：ＮＯ）、携帯端末４Ａの制御部１６は、ステップＳ５０１の処理に戻る。
【００４０】
例えば、カーソルキーを操作する等の表示部４３に表示された電子メールに含まれる電話番号や音声メッセージの格納先を選択するユーザによる操作入力を操作部４４が検出すると（ステップＳ５０５）、端末制御部４６の選択機能部４６ｃは、選択された所定の箇所に対応する動作を発信機能部４６ａまたはメール機能部４６ｂに行わせる。
【００４１】
電話番号が選択された場合（ステップＳ５０５：電話）、端末制御部４６の選択機能部４６ｃは、発信機能部４６ａにより、その電話番号に基づいて電話網２側に対して外線発信操作を行う（ステップＳ５０６）。
表示部４３に表示された電子メールには、図４の符号ａに示すような音声メッセージを録音した発信者の電話番号が記述されている。この電話番号を選択する旨の操作入力が操作部４４により検出されると、端末制御部４６の選択機能部４６ｃは、その電話番号に基づく外線発信操作を発信機能部４６ａに行わせる。発信機能部４６ａによりＩ／Ｆ４１を介して電話網２側に発信操作が行われると、携帯端末４Ａは、主装置１０に音声メッセージを録音した発信者に直接に電話をかけることが可能となる。このように本実施の形態によれば、表示部４４に表示された電子メールの電話番号を選択すると、この選択された電話番号に発信されるので、煩わしいダイヤル操作が不要なため、使い勝手がよい。
【００４２】
なお、図４において、表示部４３に表示された電子メールには、複数の電話番号のが記述されている。携帯端末４Ａのユーザが操作部４４により所望する電話番号を選択すると、携帯端末４Ａの端末制御部４６は、選択機能部４６ｃにより選択された電話番号に基づく外線発信操作を発信機能部４６ａに行わせる。このように、携帯端末４Ａのユーザは、表示部４３に表示された電子メールの中から所望する発信者へ発信することができる。
【００４３】
また、本実施の形態では、電子メール本文中の電話番号が選択されると、直接その電話番号に発信するようにしたが、主装置１０を介してその電話番号に発信するようにしてもよい。この場合、端末制御部４６の選択機能部４６ｃは、電子メール本文中の電話番号が選択されると、発信機能部４６ａにより主装置１０への発信操作を行わせる。このとき、発信機能部４６ａは、選択された電話番号、すなわちメッセージを録音した発信者の電話番号に関する情報を、主装置１０へ送出する。主装置１０は、携帯端末４Ａからの着信を検出し、メッセージを録音した発信者の電話番号に関する情報を受信すると、その電話番号に基づいて外線発信を行う。これにより、主装置１０とメッセージを録音した発信者との通話および携帯端末４Ａと主装置１０との通話が確立されると、主装置１０の制御部１６は、携帯端末４Ａとメッセージを録音した発信者の電話装置とを接続する。このようにしても、携帯端末４Ａは、主装置１０に音声メッセージを録音した発信者に電話をかけることが可能となる。
【００４４】
電子メール本文中の音声メッセージが選択された場合（ステップＳ５０５：メッセージ）、端末制御部４６の選択機能部４６ｃは、発信機能部４６ａによりその主装置１０への発信操作を行わせる。このとき、発信機能部４６ａは、選択された音声メッセージに関する情報を、主装置１０へ送出する。主装置１０の制御部１６は、携帯端末４Ａと通話状態が確立され、選択された音声メッセージに関する情報を受信すると、留守番機能部１６ｂにより記憶部１５の録音ＤＢ１５ｂに記憶されているその音声メッセージを携帯端末４Ａに出力する（ステップＳ５０７）。
表示部４３に表示された電子メールには、図４の符号ｂに示すような音声メッセージの格納先が記述されている。この音声メッセージの格納先を選択する旨の操作入力が操作部４４により検出されると、端末制御部４６の選択機能部４６ｃは、発信機能部４６ａによりＩ／Ｆ４１を介して主装置１０に発信・接続させ、選択された音声メッセージに関する情報を主装置１０に送信させる。すると、主装置１０の制御部１６は、ユーザにより選択された音声メッセージを記憶部１５の録音ＤＢ１５ｂから抽出し、携帯端末４Ａに送出する。音声メッセージを受信すると、携帯端末４Ａの端末制御部４６は、ユーザにより選択された音声メッセージをスピーカ４２から出力する。
【００４５】
従来の留守番電話装置では、録音されたメッセージを再生する場合、録音された順序でメッセージが再生されるので、不要なメッセージも再生されてしまう。このため、従来の留守番電話装置はとても使い勝手が悪かった。しかしながら、本実施の形態によれば、電子メール本文中の音声メッセージが選択されると、選択された音声メッセージのみが再生され、不要な音声メッセージが再生されないので、使い勝手がよい。
【００４６】
なお、音声メッセージの再生後、この音声メッセージを録音した発信者に対して発信動作を行うようにしてもよい。この場合は、上述したステップＳ５０６の処理を行うことにより、音声メッセージを録音した発信者に発信することができる。
【００４７】
上述したステップＳ５０６，５０７の処理を行う、または、ステップＳ６０５において何れも選択されないと（ステップＳ５０５：ＮＯ）、携帯端末４Ａの端末制御部４６は、ステップＳ５０１の処理に戻る。
【００４８】
なお、本実施の形態において、図４の符号ｃで示すアドレスが選択された場合、端末制御部４６は、メール機能部４６ｂによりそのアドレス宛の電子メールの入力フォームを作成するようにしてもよい。この入力フォームに件名やメール本文が入力された電子メールの送信を指示する操作入力を操作部４４が検出すると、端末制御部４６の選択機能部４６ｃは、メール機能部４６ｂによりその電子メールをネットワーク６０側に送信させる。これにより、子機５０Ａのユーザ宛に送信された電子メールに対する返信を、携帯端末４Ａから送信することが可能となる。
また、本実施の形態によれば、主装置１０が携帯端末４Ａに送信する電子メールには、図４に示すように子機５０Ａのユーザ宛に送信された電子メールの件名に関する情報が含まれる。これにより、子機５０Ａのユーザは、自身に送信された電子メールを携帯端末４Ａで確認することができるので、使い勝手がよい。
【００４９】
また、本実施の形態において、音声メッセージは、子機５０Ａ〜５０Ｎ毎に区別して記憶するが、複数の子機５０から構成される所定のグループ毎に記憶するようにしてもよい。この場合、主装置１０の制御部１６は、グループに含まれる全ての子機５０または所定の子機５０に対応する携帯端末４に電子メールを送信する。グループに含まれる何れかの子機５０または子機５０に対応する携帯端末４により音声メッセージが再生されると、主装置１０の制御部１６は、携帯端末４に送信する電子メールにその音声メッセージに関する情報を含めない。
このようにすることにより、本実施の形態に係るボタン電話システムは、複数の子機５０から構成されるグループが設定された場合にも適用することができる。
【図面の簡単な説明】
【００５０】
【図１】ボタン電話システムの構成を示す図である。
【図２】携帯端末４の構成を示すブロック図である。
【図３】主装置１０の留守番電話機能の動作を示すフローチャートである。
【図４】電子メールの本文の一例を示す図である。
【図５】電子メールを受信した携帯端末４Ａの動作を示すフローチャートである。
【符号の説明】
【００５１】
１…ボタン電話装置、２…電話網、３…ネットワーク、４、４Ａ〜４Ｎ…携帯端末、１０…主装置、１１…外線Ｉ／Ｆ、１２…内線Ｉ／Ｆ、１３…スイッチ、１４…データ制御部、１５…記憶部、１５ａ…登録テーブル、１５ｂ…録音ＤＢ、１５ｃ…メールボックス、１６…制御部、１６ａ…呼制御機能部、１６ｂ…留守番機能部、１６ｃ…メール送受信機能部、１６ｄ…メール作成機能部、２１…回線、３１…ＬＡＮ回線、５０，５０Ａ〜５０Ｎ…子機、６０…通信路、４１…Ｉ／Ｆ、４２…スピーカ、４３…表示部、４４…操作部、４５…記憶部、４６…端末制御部、４６ａ…発信手段、４６ｂ…メール手段、４６ｃ…選択手段。
【図１】
2006157714.tif 000003
【図２】
2006157714.tif 000004
【図３】
2006157714.tif 000005
【図４】
2006157714.tif 000006
【図５】
2006157714.tif 000007